(57)【特許請求の範囲】
【請求項１】
機台前面に灰皿の収納空間が形成された支持部材を備え、同支持部材を介して前記収納空間内に配置された灰皿を前方に向かって回動可能に支持してなるパチンコ遊技機において、
前記灰皿（１７）と支持部材（２２）との間には、前記収納空間（２５）内において灰皿（１７）を前後移動可能に且つ回動可能に支持する案内支持手段（２８、３５）と、前記灰皿（１７）が前記収納空間（２５）後方寄りの収納位置に収納された状態で前記灰皿（１７）の回動を規制する回動規制手段（２７，３４）（３０ａ，３７ａ）とを備え、
前記支持部材（２２）には、前記収納空間（２５）の後方寄りに前記灰皿（１７）の一部が嵌入される収納凹部（２６）が設けられ、同収納凹部（２６）は前記灰皿（１７）が収納位置に収納された状態で前記灰皿（１７）の後壁（１７ｄ）前面と前記支持部材（２２）の前面とが略同一面となる奥行き深さで形成されており、
前記回動規制手段（３０ａ，３７ａ）は、前記灰皿（１７）の回動を規制するとともに前記灰皿（１７）の前後移動を案内すべく、前記灰皿（１７）の後壁（１７ｄ）後面と前記収納凹部（２６）の内面との対向面間に設けられているパチンコ遊技機。
【請求項２】
機台前面に灰皿の収納空間が形成された支持部材を備え、同支持部材を介して前記収納空間内に配置された灰皿を前方に向かって回動可能に支持してなるパチンコ遊技機において、
前記灰皿（１７）と支持部材（２２）との間には、前記収納空間（２５）内において灰皿（１７）を前後移動可能に且つ回動可能に支持する案内支持手段（２８、３５）と、前記灰皿（１７）が前記収納空間（２５）後方寄りの収納位置に収納された状態で前記灰皿（１７）の回動を規制する回動規制手段（２７，３４）（３０ａ，３７ａ）とを備え、
前記支持部材（２２）には、前記収納空間（２５）の後方寄りに前記灰皿（１７）の一部が嵌入される収納凹部（２６）が設けられ、同収納凹部（２６）は前記灰皿（１７）が収納位置に収納された状態で前記灰皿（１７）の後壁（１７ｄ）前面と前記支持部材（２２）の前面とが略同一面となる奥行き深さで形成されており、
前記灰皿（１７）の後壁（１７ｄ）後面と前記収納凹部（２６）の内面との対向面間には、前記灰皿（１７）の回動を案内するとともに、その回動動作中に灰皿（１７）の前後移動を規制する前後動規制手段（３０ｂ、３７ｂ）が設けられているパチンコ遊技機。
【請求項３】
前記灰皿（１７）の外面と前記収納凹部（２６）の内面との対向面間には、前記灰皿（１７）を収納位置に係合保持する係合手段（３１、３６）が設けられている請求項１又は請求項２に記載のパチンコ遊技機。
【請求項４】
前記回動規制手段（２７，３４）は、前記灰皿（１７）の回動を規制すべく、前記灰皿（１７）の後壁（１７ｄ）上面と同面が対向する前記収納凹部（２６）の内面との対向面間に設けられている請求項１〜請求項３のいずれか一項に記載のパチンコ遊技機。
【発明の詳細な説明】
【０００１】
【発明の属する技術分野】
本発明は、パチンコ遊技機に係り、例えば、機台前面下部の下球皿に喫煙者用の灰皿を備えたパチンコ遊技機に関するものである。
【０００２】
【従来の技術】
従来より、パチンコ遊技機の下球皿に設置される灰皿は、その両側壁から水平方向へピンが突設され、そのピンを下球皿の収納凹部内側面に形成された孔に嵌入することで、ピンを中心として前方へ回動自在になっている。従って、清掃時には灰皿を前方に回動させることによって、灰皿の中に貯まった吸殻などの除去を簡単に行うことができる。
【０００３】
【発明が解決しようとする課題】
ところが、従来構成における灰皿は手で触れるだけで簡単に前方へ回動できる構成になっているため、遊技客が灰皿に不用意に手や指を触れて回動させ、灰皿の中に貯まっていた吸殻や灰をパチンコ遊技機の周囲に撒き散らして汚してしまうという問題があった。また、パチンコ遊技機の搬送中にその振動で灰皿が回動してしまい、周囲の障害物などに当たって破損してしまうという問題もあった。
【０００４】
この発明は、このような従来の技術に存在する問題点に着目してなされたものであり、その目的は、不用意な操作や搬送中の振動による灰皿の回動を抑制することができるパチンコ遊技機を提供することにある。
【０００５】
【課題を解決するための手段】
上記問題点を解決するために、請求項１に記載の発明は、機台前面に灰皿の収納空間が形成された支持部材を備え、同支持部材を介して前記収納空間内に配置された灰皿を前方に向かって回動可能に支持してなるパチンコ遊技機において、前記灰皿と支持部材との間には、前記収納空間内において灰皿を前後移動可能に且つ回動可能に支持する案内支持手段と、前記灰皿が前記収納空間後方寄りの収納位置に収納された状態で前記灰皿の回動を規制する回動規制手段とを備え、前記支持部材には、前記収納空間の後方寄りに前記灰皿の一部が嵌入される収納凹部が設けられ、同収納凹部は前記灰皿が収納位置に収納された状態で前記灰皿の後壁前面と前記支持部材の前面とが略同一面となる奥行き深さで形成されており、前記回動規制手段は、前記灰皿の回動を規制するとともに前記灰皿の前後移動を案内すべく、前記灰皿の後壁後面と前記収納凹部の内面との対向面間に設けられることを要旨とする。
【０００６】
請求項２に記載の発明は、機台前面に灰皿の収納空間が形成された支持部材を備え、同支持部材を介して前記収納空間内に配置された灰皿を前方に向かって回動可能に支持してなるパチンコ遊技機において、前記灰皿と支持部材との間には、前記収納空間内において灰皿を前後移動可能に且つ回動可能に支持する案内支持手段と、前記灰皿が前記収納空間後方寄りの収納位置に収納された状態で前記灰皿の回動を規制する回動規制手段とを備え、前記支持部材には、前記収納空間の後方寄りに前記灰皿の一部が嵌入される収納凹部が設けられ、同収納凹部は前記灰皿が収納位置に収納された状態で前記灰皿の後壁前面と前記支持部材の前面とが略同一面となる奥行き深さで形成されており、前記灰皿の後壁後面と前記収納凹部の内面との対向面間には、前記灰皿の回動を案内するとともに、その回動動作中に灰皿の前後移動を規制する前後動規制手段が設けられていることを要旨とする。
【０００７】
請求項３に記載の発明は、請求項１又は請求項２に記載のパチンコ遊技機において、前記灰皿の外面と前記収納凹部の内面との対向面間には、前記灰皿を収納位置に係合保持する係合手段が設けられていることを要旨とする。従って、請求項３に記載の発明においては、灰皿の外面と収納凹部の内面との対向面間の係合手段によって灰皿が収納位置に保持される。
【０００８】
請求項４に記載の発明は、請求項１〜請求項３のいずれか一項に記載のパチンコ遊技機において、前記回動規制手段は、前記灰皿の回動を規制すべく、前記灰皿の後壁上面と同面が対向する前記収納凹部の内面との対向面間に設けられていることを要旨とする。従って、請求項４に記載の発明においては、灰皿は収納凹部に嵌入されると、その後壁上面と同面が対向する収納凹部の内面とが回動規制手段として機能し、灰皿の回動を規制する。
【００１１】
【発明の実施の形態】
以下、本発明を具体化したパチンコ遊技機の一実施形態を図１〜図８に従って説明する。
【００１２】
本実施形態のパチンコ遊技機は、その基本的構成の概要として、図１に略示するように、機体の外郭をなす外枠１０の開口前面側に、各種の遊技用構成部材をセットする縦長方形の前枠１１が開閉及び着脱可能に組付けられている。前枠１１の前面側には、機内部の遊技盤１２を透視保護するための窓枠１３と上球皿１４が共に横開き状態で開閉可能に組付け整合されると共に、前枠１１の下部には下球皿１５、打球発射装置１６及び灰皿１７等が装着されている。また、外枠１０の一側縁には球貸しシステムに利用されるカードユニット部１８が装着されており、同カードユニット部１８のカード挿入口１９にカードが挿入されて前記上球皿１４の上部前面に設けられた球貸し操作部２０が操作されると、図示しないカードリーダの球貸し判読制御条件に従い、前記カードの有効金額内における一定額単位に対して所定個数（例えば１００円に対して２５個）の貸し球を払出し得るようになっている。
【００１３】
図２に示すように、前記下球皿１５は、前枠１１に対して着脱可能に支持される取付基板２１を有しており、同取付基板２１の前面には打球発射装置１６及び支持部材２２が取り付けられている。支持部材２２の右側部分には、前記取付基板２１の中央に開設された余剰球の排出口２３と連なるように、余剰球を貯留する皿部２４が設けられている。また、支持部材２２には、皿部２４の左側に位置するように、本実施形態における灰皿１７を設置するための収納空間２５が形成されており、この収納空間２５内に灰皿１７が収納されている。
【００１４】
前記収納空間２５は、前方及び上下に開口された空間であり、図３に示すように後述する灰皿１７の三つの外面と対向する三つの支持面２２ａ，２２ｂ，２２ｃによって区画形成されている。また、収納空間２５の内奥部には、前記支持面２２ｃを内底面とする収納凹部２６が形成されている。そして、同収納凹部２６の内面のうち上壁面部分は、収納位置における灰皿１７の回動を規制するための回動規制面２７とされている（図５参照）。
【００１５】
前記支持部材２２の両支持面２２ａ，２２ｂには、灰皿１７の収納空間２５における後方寄りの収納位置と前方寄りの回動位置との間で前後移動を案内可能な長孔からなる支持孔２８が形成されている。前記収納凹部２６には、図４に示すようにその内底面（支持面２２ｃ）に水平方向で平行な２本の水平リブ２９と垂直方向で平行な２本の垂直リブ３０が形成されている。そして、垂直リブ３０の下側は、支持面２２ｃに対する高さが垂直リブ３０の上側に比べ低く形成されており、収納位置における灰皿１７の回動を規制する回動規制面３０ａとされている。さらに、前記垂直リブ３０の前端面は、垂直方向のほぼ中央位置から前記回動規制面３０ａに向かって、支持面２２ｃに対する高さが徐々に低くなるように円弧状で形成されている。そして、この円弧状の下方寄り前端面は、灰皿１７が前方寄りの回動位置に引き出されて回動する際に、その回動を案内しつつ灰皿１７の前後方向への移動を規制可能な前後動規制面３０ｂとされている。前記水平リブ２９及び垂直リブ３０で区画された支持面２２ｃの中央には、弾性力があって、その先端が下側に向かって隆起した第１の突起３１が形成されている。そして、収納凹部２６は、支持面２２ｃに形成された水平リブ２９、垂直リブ３０及び第１の突起３１が支持部材２２の前面２２ｄから突出しないような奥深さで形成されている。
【００１６】
一方、灰皿１７は、アクリロニトリルーブタジエンースチレン樹脂の底部材３２と、灰や吸殻を収容するメラミン樹脂の収容部材３３とで構成され、底部材３２に収容部材３３がネジ止め固定されている。前記収容部材３３は、図３に示すように、前壁１７ａ、側壁１７ｂ，１７ｃ、後壁１７ｄを備えた有底箱型形状で、後壁１７ｄは前壁１７ａよりも高く形成されている。従って、両側壁１７ｂ，１７ｃは、各上端面が後壁１７ｄから前壁１７ａに向かって下がる斜状で形成されている。そして、後壁１７ｄの上面は、灰皿１７が収納位置に収納された際に、収納凹部２６の前記回動規制面２７と若干のクリアランスを持って対向する回動規制面３４とされており、これらの両回動規制面２７，３４により第１の回動規制手段が構成されている。そして、図５に示すように灰皿１７が収納位置に収納された際に、支持部材２２の前面２２ｄと灰皿１７の後壁１７ｄの前面は略同一面となっている。さらに、図３に示すように灰皿１７の前壁１７ａには、吸いかけの煙草などを置いておくための切り欠き１７ｅが形成されている。
【００１７】
前記灰皿１７における底部材３２の両外側面には、支持部材２２側の両支持面２２ｂ，２２ｃの支持孔２８に嵌入される支持ピン３５が水平方向に突出形成されており、前記支持孔２８と支持ピン３５とで案内支持手段が構成されている。また、底部材３２の後壁外面には、支持面２２ｃの第１の突起３１と対向する位置に、弾性力があって、その先端が上側に向かって隆起した第２の突起３６が形成されている。そして、この第１の突起３１と第２の突起３６とで係合手段が構成され、灰皿１７が収納凹部２６に収納された際に第１の突起３１と第２の突起３６は、自身の弾性力によって係合される。さらに、底部材３２の後壁外面には、前記第２の突起３６より下側で、同第２の突起３６を挟んだ左右の位置に、断面チャンネル状をなす一対の突片３７が突出形成されている。そして、両突片３７の内底面は、水平に形成されており、収納位置における灰皿１７の回動を規制する回動規制面３７ａとなり、前記支持部材２２側の垂直リブ３０の回動規制面３０ａとで第２の回動規制手段を構成している。また、前記両突片３７の先端面は、前後動規制面３７ｂとされ、前記支持部材２２側の垂直リブ３０の前後動規制面３０ｂとで前後動規制手段を構成している。
【００１８】
次に、以上のように構成された本実施形態におけるパチンコ遊技機の作用について説明する。
まず、図５及び図６を用いて灰皿１７が収納凹部２６に収納されている状態を説明する。
【００１９】
灰皿１７が収納凹部２６に収納された状態では、支持孔２８に嵌入された支持ピン３５は、図５の紙面上、支持孔２８の最右端に位置している。このとき、支持面２２ｃの第１の突起３１と灰皿１７の第２の突起３６とは、自身の弾性力により係合しており、灰皿１７を収納凹部２６の収納位置に保持している。また、収納凹部２６には、灰皿１７の後壁１７ｄの回動規制面３４が嵌入されており、収納凹部２６の内面の回動規制面２７とにより灰皿１７が収納位置において前方に回動しないように規制されている。また、支持部材２２の前面２２ｄと灰皿１７の後壁１７ｄの前面とは略同一面を形成しており、灰皿１７における後壁１７ｄの上面に灰などが溜まらないようになっている。さらに、垂直リブ３０の回動規制面３０ａは、灰皿１７における両突片３７の回動規制面３７ａに対向して灰皿１７が収納位置において前方に回動しないように規制されている。
【００２０】
次に、図７及び図８を用いて灰皿１７が前方に回動する状態を説明する。
灰皿１７を前方に回動させるためには、まず灰皿１７を前方寄りの回動位置に引き出す。このとき、灰皿１７の支持ピン３５は、支持孔２８内を図７の紙面上左側に移動する。そして、灰皿１７が前方へ移動すると、第１の突起３１と係合されている第２の突起３６には、第１の突起３１と離間する方向に力が働き、両突起３１，３６は自身の弾性力で係合状態を解除させる。さらに、回動規制面２７と回動規制面３４による灰皿１７の回動規制と、回動規制面３０ａと回動規制面３７ａによる灰皿１７の回動規制がそれぞれ解除される。その後、支持ピン３５が支持孔２８の最左端に移動すると、灰皿１７自身の自重あるいは前方（図７紙面上で反時計方向）へ軽い回動力を加えることによって、灰皿１７は支持孔３８の最左端を中心として前方へ回動し、そして、図７に二点鎖線で示すように灰皿１７の収容部材３３が下向きとなった位置で位置決め保持され、灰皿１７の中に溜まった吸殻などの清掃を行う。
【００２１】
次に、清掃後には、上述の作用と逆の手順で灰皿１７をもとの収容位置に収容保持させることになるが、先ず、図７に二点鎖線で示す位置の灰皿１７を後方（図７紙面上で時計方向）に回動させると、この回動動作の途中で、図８に示すように、垂直リブ３０の前後動規制面３０ｂ上を灰皿１７の突片３７の前後規制面３７ｂが接するように移動する。これにより、支持ピン３５の収容位置方向への移動が規制され、第１，２の突起３１，３６が互いに干渉することなく、灰皿１７を支持孔２８の最左端を中心に安定して回動させることができる。そして、この回動動作によって図７に実線で示す位置に載置状態とされた灰皿１７を後方へ押込むと、灰皿１７は、各回動規制面（２７，３４）（３０ａ，３７ａ）によって回動規制されると共に、第１，２の突起３１，３６の係合により収納位置に収納保持されることとになる（図５参照）。
【００２２】
さて、本実施形態では、上記のようにパチンコ遊技機を構成したことにより、次のような効果を得ることができる。
（１）収納凹部２６の回動規制面２７と灰皿１７の回動規制面３４とによる第１の回動規制手段及び垂直リブ３０の回動規制面３０ａと灰皿１７の回動規制面３７ａとによる第２の回動規制手段が形成されている。このため、灰皿１７が収納位置にある場合には、遊技者が灰皿１７に不用意に手や指を触れたり、または搬送中の振動によっても灰皿１７の回動が抑制され、灰皿１７の中に溜まっていた吸殻や灰を周囲に撒き散らすことがなく、搬送中に回動して破損してしまうこともない。また、回動規制手段が２組形成されているので、どちらか一方の回動規制手段が破損しても、残りの回動規制手段で上記効果を達成させることができる。
【００２３】
（２）支持部材２２の前面２２ｄと灰皿１７の後壁１７ｄの前面とが、灰皿１７が収納された状態で略同一面となる奥深さで収納凹部２６が形成されている。このため、灰皿１７を収納位置にセットした使用状態では、灰皿１７の後壁１７ｄの上面に灰などが溜まらないようになり、美観性が向上する。
【００２４】
（３）支持面２２ｃの第１の突起３１と灰皿１７の第２の突起３６とにより係合手段を形成したことにより灰皿１７を収納凹部２６内の収納位置に係合保持することができる。また、両突起３１，３６を弾性部材で形成したことにより、灰皿１７の前後移動に伴う係脱が容易である。
【００２５】
（４）垂直リブ３０の前後動規制面３０ｂと突片３７の前後動規制面３７ｂによる前後動規制手段を形成したことにより、灰皿１７が回動される際に、灰皿１７を回動中心位置にて安定して回動させることができる。
【００２６】
（５）支持面２２ｃの垂直リブ３０と灰皿１７の突片３７が灰皿１７の回動規制と灰皿１７が回動する際の前後動移動規制の両方の機能を発揮できるように形成したことにより、構造を簡素化することができる。
【００２７】
なお、前記実施形態は、以下のように変更して具体化してもよい。
・前記実施形態とは逆に、支持ピン３５を両支持面２２ａ，２２ｂ側に形成し、支持孔２８を灰皿１７側に形成してもよい。このように構成しても前記実施形態と同様の効果を奏する。
【００２８】
・前記実施形態における支持孔２８に代えて、支持溝に変更してもよい。このように構成しても前記実施形態と同様の効果を奏する。
・前記実施形態における支持孔２８に代えて、支持ピン３５の前後移動を案内するガイドに変更してもよい。また、前記ガイドは、支持ピン３５に対して片側支持でも両側支持のどちらでもよい。このように構成しても前記実施形態と同様の効果を奏する。
【００２９】
・前記実施形態においては、第１の回動規制手段２７，３４と第２の回動規制手段３０ａ，３７ａの両方を備えているが、どちらか一方の回動規制手段を備えているだけでもよい。このように構成すれば、簡単な構成となり、灰皿１７の回動を規制することができる。
【００３０】
・前記実施形態においては、収納凹部２６に灰皿１７を嵌入すると、灰皿１７の後壁前面と支持部材２２の前面が略同一面になるように収納凹部２６の奥行き深さが形成されているが、支持部材２２の前面に対して灰皿１７の後壁前面が突出されるような奥行き深さで収納凹部２６を形成してもよい。このように構成すれば、支持部材２２を薄くでき、小型化される。また、逆に支持部材２２の前面に対して灰皿１７の後壁前面が、奥に入り込むような奥行き深さで収納凹部２６を形成してもよい。このように構成すれば、灰皿１７の回動をより確実に規制することができる。
【００３１】
・前記実施形態においては、収納凹部２６に回動規制手段が形成されているが、収納凹部２６を設けずに灰皿１７の後壁に形成した凸部と支持部材２２に形成した前記凸部が嵌入される凹部によって回動規制手段を構成してもよい。このように構成すれば、支持部材２２が簡単な構造となり、灰皿１７の回動を規制することができる。また、前記凸部と凹部を逆に形成しても、同様な効果を奏する。
【００３２】
・前記実施形態とは逆に、第１の突起３１を灰皿１７側に形成し、第２の突起３６を支持面２２ｃ側に形成してもよい。このように構成しても前記実施形態と同様の効果を奏する。
【００３３】
・前記実施形態における両突起３１，３６による係合に代えて、凹凸関係の係合に変更してもよい。このように構成しても前記実施形態と同様の効果を奏する。
【００３４】
・前記実施形態における係合手段３１，３６を複数組形成してもよい。このように構成すれば、灰皿１７が収納位置により確実に保持される。さらに、１つの係合手段が破損しても他の係合手段によって灰皿１７を収納位置に保持できる。
【００３５】
・前記実施形態においては、垂直リブ３０と突片３７が第２の回動規制手段３０ａ，３７ａと前後動規制手段３０ｂ，３７ｂの両機能を発揮できるように形成されているが、それぞれ独立させて、別々に機能が発揮できるように垂直リブ３０と突片３７を構成してもよい。このように構成しても前記実施形態と同様の効果を奏する。
【００３６】
・前記実施形態における垂直リブ３０及び突片３７を１組または３組以上形成してもよい。１組のみの構成にすれば、簡単な構造で、灰皿１７の回動規制及び前後動規制を行うことができる。また、３組以上の構成にすれば、より確実に灰皿１７の回動規制及び前後動規制を行うことができる。
【００３７】
・前記実施形態においては、灰皿１７が底部材３２と収容部材３３とで構成されているが、一体に成形された灰皿でも良い。このように構成しても前記実施形態と同様の効果を奏する。また、灰皿１７の材質は、前記実施形態に限定されるものではない。
【００３８】
・本実施形態における灰皿１７をパチンコ遊技機以外の遊技機（例えば、アレンジボール遊技機やスロットマシン）で使用してもよい。他の遊技機においても、前記実施形態と同様の効果を奏する。
【００３９】
【発明の効果】
この発明は、以上のように構成されているため、次のような効果を奏する。
請求項１又は請求項２に記載の発明によれば、回動規制手段により、不用意な操作や搬送中の振動による灰皿の回動を抑制することができる。
【００４０】
請求項１又は請求項２に記載の発明によれば、灰皿の後壁上面に灰などが溜まらず、美観性を向上させることができる。
請求項１に記載の発明によれば、灰皿を水平状態に保った状態で前後移動可能であるとともに、灰皿の回動を十分に抑制することができる。
請求項２に記載の発明によれば、灰皿の回動位置において回動動作を安定させることができる。
請求項３に記載の発明によれば、請求項１又は請求項２に記載の発明の効果に加えて、灰皿を収納位置に保持することができる。
【００４１】
請求項４に記載の発明によれば、請求項１〜請求項３のいずれか一項に記載の発明の効果に加えて、収納凹部に灰皿を嵌入するだけで、灰皿の回動が規制でき、その構成が簡単である。
【図面の簡単な説明】
【図１】  本発明の実施形態におけるパチンコ遊技機の全体構成を示す正面図
【図２】  同じく、下球皿を示す斜視図
【図３】  同じく、灰皿及び収納凹部を示す斜視図
【図４】  同じく、灰皿と収納凹部の対向面を示す斜視図
【図５】  同じく、図１Ａ−Ａ線における灰皿が収納凹部に収納された状態を示す側部断面図
【図６】  同じく、図１Ｂ−Ｂ線における灰皿が収納凹部に収納された状態を示す上部断面図
【図７】  同じく、図１Ａ−Ａ線における灰皿が回転中心位置に移動した状態を示す側部断面図
【図８】  同じく、図１Ａ−Ａ線における灰皿が回動する状態を示す側部断面図
【符号の説明】
１７…灰皿、１７ｄ…後壁、２２…支持部材、２５…収納空間、２６…収納凹部、２７，３４…第１の回動規制手段としての回動規制面、３０ａ，３７ａ…第２の回動規制手段としての回動規制面、３０ｂ，３７ｂ…前後動規制手段としての前後動規制面、３１，３６…係合手段としての突起
【図１】
0004074412.tif 000002
【図２】
0004074412.tif 000003
【図３】
0004074412.tif 000004
【図４】
0004074412.tif 000005
【図５】
0004074412.tif 000006
【図６】
0004074412.tif 000007
【図７】
0004074412.tif 000008
【図８】
0004074412.tif 000009